【事件の表示】
　特願２００８−２４９３７８「放送受信装置」拒絶査定不服審判事件〔平成２１年　３月１２日出願公開、特開２００９−　５５６１９〕について、次のとおり審決する。
【結　論】
　本件審判の請求は、成り立たない。
【理　由】
第１．手続の経緯
　本願は、平成１８年３月３０日に出願した特願２００６−９３１５４号の一部を平成２０年９月２９日に新たな特許出願としたものであって、平成２３年２月２１日付けの拒絶理由通知に対し、平成２３年４月２１日付けで手続補正がなされたが、平成２３年８月４日付けで拒絶査定がなされ、これに対し、平成２３年１１月９日に審判請求がなされるとともに同平成２３年１１月９日付けで手続補正（審判請求と同時にする補正）がなされたものである。
　
第２．平成２３年１１月９日付けの手続補正についての補正却下の決定
［補正却下の決定の結論］
　　平成２３年１１月９日付けの手続補正を却下する。
［理由］
１．補正の内容
　上記手続補正により補正された特許請求の範囲の請求項のうち、請求項１の記載は次のとおりである。
　
「【請求項１】チューナ部と、番組映像を表示する表示部と、音声を出力する音声出力部と、番組を選択する操作ボタン及びこの操作ボタンの操作により操作信号を発するリモコン側通信部を有するリモコンで構成される入力部と、前記リモコン側通信部から発する操作信号を受信して制御部に入力する本体側通信部と、これらを統括的に制御する前記制御部とを備え、
　前記リモコンは、前記操作ボタンに接触があったときに第１の操作信号を発生し、前記操作ボタンが押し込まれたときに第２の操作信号を発生するように構成され、
　前記本体側通信部と前記リモコン側通信部とは無線で信号を相互に送受信可能に構成され、
　前記音声出力部は、本体側に備えられた第１の音声出力部と、前記リモコンに内蔵された第２の音声出力部とから構成され、
　前記チューナ部は第１のチューナ及び第２のチューナを有し、
　前記制御部は、
　前記第１のチューナで受信している番組映像の表示中に前記第１の操作信号を検出したとき、前記第１の操作信号に対応する番組の受信を前記第２のチューナで開始し、前記表示部に表示されている前記第１のチューナで受信している番組映像に関する音声情報を前記第１の音声出力部から音声出力すると共に、前記第１の操作信号に対応する前記第２のチューナで受信している番組情報に関する音声情報を前記第２の音声出力部から音声で出力し、且つ前記第１の音声出力部から出力する音声よりも前記第２の音声出力部から出力する音声の方を大きくするように制御し、
　前記第１の操作信号を検出した状態から前記第１のチューナで受信している番組映像の表示中に前記第２の操作信号を検出したとき、前記表示中の番組映像を前記第２の操作信号に対応する番組映像に切換えるように制御する
　ことを特徴とする放送受信装置。」
　
２．補正の適否
　この補正は、補正前の請求項１における「チューナ部」、「制御部」を、補正後の請求項１では、「前記チューナ部は第１のチューナ及び第２のチューナを有し、前記制御部は、前記第１のチューナで受信している番組映像の表示中に前記第１の操作信号を検出したとき、前記第１の操作信号に対応する番組の受信を前記第２のチューナで開始し、前記表示部に表示されている前記第１のチューナで受信している番組映像に関する音声情報を前記第１の音声出力部から音声出力すると共に、前記第１の操作信号に対応する前記第２のチューナで受信している番組情報に関する音声情報を前記第２の音声出力部から音声で出力し、且つ前記第１の音声出力部から出力する音声よりも前記第２の音声出力部から出力する音声の方を大きくするように制御し、前記第１の操作信号を検出した状態から前記第１のチューナで受信している番組映像の表示中に前記第２の操作信号を検出したとき、前記表示中の番組映像を前記第２の操作信号に対応する番組映像に切換えるように制御する」と限定する補正を行うものである。
　したがって、本件補正は、平成１８年法律第５５号改正附則第３条第１項によりなお従前の例によるとされる同法による改正前の特許法（以下、平成１８年改正前特許法という）第１７条の２第４項第２号に規定された特許請求の範囲の減縮を目的とするものである。そこで、補正後の請求項１に係る発明（以下、本願補正発明という）が平成１８年改正前特許法第１７条の２第５項において準用する同法第１２６条第５項に規定された特許出願の際独立して特許を受けることができるものであるか否かについて以下に検討する。
　
（１）本願補正発明
　上記第２．１．に記載した本件補正後の請求項１の「前記第１の操作信号に対応する前記第２のチューナで受信している番組情報に関する音声情報」との記載について、発明の詳細な説明（特に、【００３７】−【００４０】）の対応する記載を参酌すると、チャンネルボタンの接触（第１の操作信号）を検出し、接触があったチャンネルボタンに対応する番組の受信が第２のチューナで開始され、該番組の番組情報が音声出力されるのであるから、第１の操作信号に対応し、第２のチューナで受信しているのは「番組」であり、音声情報は、その番組の番組情報に関するものである。したがって、上記記載は、「前記第１の操作信号に対応する前記第２のチューナで受信している
番組の
　したがって、本願補正発明を以下のとおりに認定する。
　
「チューナ部と、番組映像を表示する表示部と、音声を出力する音声出力部と、番組を選択する操作ボタン及びこの操作ボタンの操作により操作信号を発するリモコン側通信部を有するリモコンで構成される入力部と、前記リモコン側通信部から発する操作信号を受信して制御部に入力する本体側通信部と、これらを統括的に制御する前記制御部とを備え、
　前記リモコンは、前記操作ボタンに接触があったときに第１の操作信号を発生し、前記操作ボタンが押し込まれたときに第２の操作信号を発生するように構成され、
　前記本体側通信部と前記リモコン側通信部とは無線で信号を相互に送受信可能に構成され、
　前記音声出力部は、本体側に備えられた第１の音声出力部と、前記リモコンに内蔵された第２の音声出力部とから構成され、
　前記チューナ部は第１のチューナ及び第２のチューナを有し、
　前記制御部は、
　前記第１のチューナで受信している番組映像の表示中に前記第１の操作信号を検出したとき、前記第１の操作信号に対応する番組の受信を前記第２のチューナで開始し、前記表示部に表示されている前記第１のチューナで受信している番組映像に関する音声情報を前記第１の音声出力部から音声出力すると共に、前記第１の操作信号に対応する前記第２のチューナで受信している
番組の
　前記第１の操作信号を検出した状態から前記第１のチューナで受信している番組映像の表示中に前記第２の操作信号を検出したとき、前記表示中の番組映像を前記第２の操作信号に対応する番組映像に切換えるように制御する
　ことを特徴とする放送受信装置。」
　
（２）刊行物
ア．刊行物１
　原査定の拒絶の理由で引用された本願の出願日前に頒布された刊行物である特開平１０−５６６７６号公報（以下、「刊行物１」という）には、次の事項が記載されている。
　
「【０００１】
【発明の属する技術分野】本発明は、テレビ、ビデオ、エアコン等の機器を遠隔制御するための音声あるいは文字、図形による案内・応答付きリモコン装置、リモコン被制御装置およびリモコンシステムに関する。」
　
「【００１６】リモコン装置１０７上の操作キー１０１の任意のキーがユーザにより操作されると、２段階キー入力検出部１０２で、操作されたキーと、その操作量が検出される。操作量は、キーに触れた／押したの2段階や、キーストロークの半分まで押した／最後まで押したなどのように２段階で検出される。」
　
「【００２２】（実施の形態３）次に実施の形態３について説明する。図４は本発明の実施の形態３のリモコンシステムの構成図である。図４において、４０１は音声生成部、４０２はキー入力検出部である。
【００２３】本実施の形態のリモコン装置では、音声データの記憶手段をリモコン装置内に持たず、受信部２０１で受信した音声データを、音声生成部４０１でそのまま音声信号に変換し、音声出力部１０６から出力する。被制御装置２０８では、装置本体および制御部２０４が出力した音声データを送信部２０５を介してリモコン装置１０７に送信する。音声で案内される内容としては、キーに対応した内容の音声以外にも、操作に対する確認情報などが考えられる。この場合のリモコン装置１０７内のキー入力検出部４０２は、どのキーが操作されたかだけを検出する。」
　
「【００２５】（実施の形態４）次に実施の形態４について説明する。図５は本発明の実施の形態４のリモコンシステムの構成図である。図５で５０１は音声生成部、５０２は音声出力部である。図６は実施の形態４のリモコン被制御装置の構成図である。図６において、６０１は表示制御部、６０２は表示部である。図７は、実施の形態４のリモコンシステムの動作例である。
【００２６】本実施の形態では、２段階キー入力検出部１０２でキー入力が検出されると、送信部１０３で、操作されたキーに対応する送信データに、その操作量のデータ、例えばキーに触れたか押したかを識別できるフラグデータを付加してリモコン信号として出力する。被制御装置２０８側では、受信部２０２でリモコン信号１０８を受信し、受信データ解析部２０３で、送信データとキー操作量のフラグデータを抽出する。送信データは装置本体の制御に使用される他、キー操作量のフラグデータとともに、音声の生成、出力の制御に使用される。キーに触れただけの操作である場合には、受信した送信データに対応する音声データを音声生成部５０１で生成し、音声信号として音声出力部５０２より出力する。
【００２７】また、図６は、音声の代わりに文字、図形の表示を行うようにしたものである。ユーザが、キーに軽く触れると、被制御装置２０８側に設けられた表示部６０２、例えばテレビの場合は、ディスプレイにそのキーの機能が表示される。もちろんキーの機能だけでなく、付加情報を表示することもできる。これらの表示の制御は、表示制御部６０１が装置本体および制御部２０４と連動して行う。
【００２８】図７は、本実施の形態での動作例を示している。ユーザがテレビのリモコンのキーに軽く触れると、キーの機能が音声案内される。この例では、「チャンネルアップキーである」という情報と「アップした先のチャンネルではニュースを放送している」という内容がテレビ側で、音声および画面表示を通して案内される。さらにキー操作後は確認のための音声、および画面表示が行われている。
【００２９】本実施の形態によれば、音声あるいは文字、図形表示によるキーの機能案内を被制御装置側で行えるので、リモコン装置に受信部やスピーカ、ディスプレイ等の表示手段が必要なく、被制御装置側の資源を利用できるため、コストや信頼性の点で効果がある。また、リモコン側の消費電力低減の面でも利点が大きい。」
　
「【図４】
　
　　　　　　　　　　　　　　　　　　　　　　　　　　　　　　　　　」
　
「【図５】
　
　　　　　　　　　　　　　　　　　　　　　　　　　　　　　　　　」　
　
「【図７】
　
　　　　　　　　　　　　　　　　　　　　　　　　　　　　　　　　　」
　
　以上の記載から、刊行物１に実施の形態４（【図５】）として記載されたものについて発明を認定する。
　実施の形態４は、リモコン装置１０７の操作キー１０１、２段階キー入力検出部１０２、送信部１０３の構成については、実施の形態１と同様の構成であると考えられるので、その部分については実施の形態１に対する記載も参照する。
　
　したがって、刊行物１には、以下の発明（以下、「刊行物１発明」という）が記載されている。（括弧内は、対応する明細書の段落番号、図面の番号を示す）
　
　操作キーと、２段階キー入力検出部と、２段階キー入力検出部でキー入力が検出されると、操作されたキーに対応する送信データに、その操作量のデータを識別できるフラグデータを付加してリモコン信号として出力する送信部と、を有するリモコン装置と、（【図５】、【００２６】）
　該リモコン信号を受信する受信部と、（【図５】）
　該受信部で受信した信号から送信データとキー操作量のフラグデータを抽出する受信データ解析部と、（【図５】、【００２６】）
　該受信データ解析部で抽出された送信データを、装置本体の制御に使用する他、キー操作量のフラグデータとともに、音声の生成、出力の制御に使用する装置本体および制御部と、（【図５】、【００２６】）
　音声生成部と、（【図５】）
　音声出力部と、を備え、（【図５】）
　前記リモコン装置は、キーに触れた／押したの２段階で操作量が検出されるものであり、（【００１６】）
　前記本体装置および制御部は、
　キーに触れただけの操作である場合には、受信した前記送信データに対応する、例えば、「チャンネルアップキーである」という情報と「アップした先のチャンネルではニュースを放送している」という内容の音声データを音声生成部で生成し、音声信号として音声出力部より出力し、（【図７】、【００２８】）
　リモコンのキーが完全に押された場合は、操作されたキーに対応するキーの機能、例えば、ＣＨアップを実行する、テレビ。（【図７】、【０００１】、【００１６】）
　
イ．刊行物２
　原査定の拒絶の理由で引用された本願の出願日前に頒布された刊行物である特開２００１−９５０８１号公報（以下、「刊行物２」という）には、次の事項が記載されている。
　
「【発明が解決しようとする課題】ところで、上述したナビゲーション装置の音声案内は、ＣＤプレーヤやラジオ受信機等を含むオーディオシステムからオーディオ音が出力された状態では聞き取りにくくなる。このため、音声案内を行うときは、オーディオ音の出力を一時停止したり、音量を一時的に下げたりして、案内音声を聞き取りやすくする対策がなされている。」
　
ウ．刊行物３
　原査定の拒絶の理由で引用された本願の出願日前に頒布された刊行物である特開２００５−６５００７号公報（以下、「刊行物３」という）には、次の事項が記載されている。
　
「【００１６】さて、従来の技術では、リモコンを用いて番組を選局する際、切り替えに時間がかかる場合があったため、使用者に不快感を与えることがあった。
【００１７】前記の問題点を回避するためには、番組の切り替え時間の短縮化を行えばよい。次にその一例を示す。
【００１８】使用者がテレビで２チャンネルを視聴中に、リモコン送信機１０３を用いて４チャンネルに変えようとしたとする。
【００１９】そこで使用者はリモコンの上部に付属のチャンネルキーを押そうとする。視聴者がキーに触れた際、キー入力部２０１では、体温検出部１０５により使用者の体温が検出され、また、キー入力判断部２０２ではどのキーが押されたのかを判断する。体温が３６度、キー入力は４チャンネルとする。さらに、空温検出部１０４で現在の気温が検出され、２６度だったとする。次に、演算部２０３によって、空温検出部１０４と体温検出部１０５で検出した値の差が計算される。空温２６度、体温３６度としているので、差は１０度となる。差があるということは、キーが押されようとしているということがわかる。そこで、リモコン信号送信部２０４からキーが押されようとしている４チャンネルという情報ＢＣをテレビジョン受信機本体１０１のマイコン２０５に送り、リモコン信号受信部２０６が４チャンネルという情報を受け取り、チューナ制御部２０７へ４チャンネルという情報を送る。現在第１のチューナ２０８を用いて２チャンネルを視聴しているとすると、チューナ制御部２０７では、使用してない第２のチューナ２０９へ４チャンネルを選局するよう命令を送る。これで、副チューナで前もって４チャンネルを選局することになる。
【００２０】次に、使用者が４チャンネルのキーを触れている状態から押下したとすると、リモコン送信部１０３のキー入力判断部２０２で４チャンネルが押されたということを確定し、その情報を演算部２０３とリモコン信号送信部２０４、リモコン信号受信部２０６を介し、チューナ制御部２０７に４チャンネルが押下されたとい情報を送る。チューナ制御部２０７では、「現在第１のチューナ２０８を使用し、２チャンネルを視聴している」、「体温検出によって第２のチューナ２０９で前もって４チャンネルを選局している」という２つの情報をもとに、使用者は次に４チャンネルを視聴したいと確定できたため、第１のチューナ２０８から第２のチューナ２０９へ切り替える処理を行う。チューナ切り替え部２１０のスイッチを第２のチューナ２０９の方へ倒し、映像出力部２１１で第１のチューナ２０８を使用して２チャンネルが表示されていたのを、瞬時に第２のチューナ２０９に切り替えることで、あらかじめ選局していた４チャンネルへ切り替える。
【００２１】使用者が次に視聴しようとする番組の４チャンネルを前もって第２のチューナ２０９で選局していたため、第１のチューナ２０８から第２のチューナ２０９へ切り替えることで選局動作を行い、従来の動作よりも早いく選局を行うことができるのである。
【００２２】以上のような構成をとっているので、使用者には選局が遅いと言う不快感を覚えさせずに選局を行うことを可能としている。」
　
（３）対比
　本願補正発明と刊行物１発明とを対比する。
　
　刊行物１発明は、「操作キーと、２段階キー入力検出部と、２段階キー入力検出部でキー入力が検出されると、操作されたキーに対応する送信データに、その操作量のデータを識別できるフラグデータを付加してリモコン信号として出力する送信部と、を有するリモコン装置」を備えているが、このリモコン装置における、「操作キー」、「操作されたキーに対応する送信データに、その操作量のデータを識別できるフラグデータを付加してリモコン信号として出力する送信部」は、それぞれ、本願補正発明の「番組を選択する操作ボタン」、「この操作ボタンの操作により操作信号を発するリモコン側通信部」に相当し、また、刊行物１発明の「リモコン装置」は、テレビにリモコン信号を入力するものであるから、「リモコンで構成される入力装置」といえる。
　また、刊行物１発明のテレビが、「チューナ部と、番組映像を表示する表示部と、音声を出力する音声出力部」とを備えていることは明らかである。
　さらに、刊行物１発明の「リモコン信号を受信する受信部」、「該受信部で受信した信号から送信データとキー操作量のフラグデータを抽出する受信データ解析部と、該受信データ解析部で抽出された送信データを、装置本体の制御に使用する他、キー操作量のフラグデータとともに、音声の生成、出力の制御に使用する装置本体および制御部」、「テレビ」は、それぞれ、本願発明の「前記リモコン側通信部から発する操作信号を受信して制御部に入力する本体側通信部」、「これらを統括的に制御する前記制御部」、「放送受信装置」に相当する。
　したがって、本願補正発明と刊行物１発明とは、「チューナ部と、番組映像を表示する表示部と、音声を出力する音声出力部と、番組を選択する操作ボタン及びこの操作ボタンの操作により操作信号を発するリモコン側通信部を有するリモコンで構成される入力部と、前記リモコン側通信部から発する操作信号を受信して制御部に入力する本体側通信部と、これらを統括的に制御する前記制御部」とを備える「放送受信装置」である点で一致する。
　
　刊行物１発明のリモコン装置は、キーに触れた／押したの２段階で操作量が検出されるものであり、２段階キー入力検出部でキー入力が検出されると、操作されたキーに対応する送信データに、その操作量のデータを識別できるフラグデータを付加してリモコン信号として出力するものであり、キーに触れた段階の操作量を識別するフラグデータが送信データに付加されたリモコン信号、及び、キーを押した段階の操作量を識別するフラグデータが送信データに付加されたリモコン信号は、それぞれ、本願補正発明の、前記操作ボタンに接触があったときの「第１の操作信号」、前記操作ボタンが押し込まれたときの「第２の操作信号」に相当する。また、刊行物１発明のリモコン装置とテレビが無線で信号を送受信可能であるのは明らかである。
　したがって、本願補正発明と刊行物１発明とは、「前記リモコンは、前記操作ボタンに接触があったときに第１の操作信号を発生し、前記操作ボタンが押し込まれたときに第２の操作信号を発生するように構成され、前記本体側通信部と前記リモコン側通信部とは無線で信号を送受信可能に構成され」る点で共通する。ただし、本願補正発明では、信号を「相互に」送受信可能に構成されているが、刊行物１発明は、リモコンからテレビへの一方向の送受信のみが可能である点では両者は相違する。
　
　刊行物１発明では、音声出力部はテレビ側に備えられているから、本願補正発明と刊行物１発明とは、「前記音声出力部は、本体側に備えられた音声出力部から構成され」る点では共通するが、音声出力部が、本願補正発明においては、「本体側に備えられた第１の音声出力部と、前記リモコンに内蔵された第２の音声出力部」とから構成されるのに対し、刊行物１発明では、テレビの音声出力部のみである点で両者は異なる。
　
　刊行物１発明において、テレビのチューナ部は当然チューナを有しているので、本願補正発明と刊行物１発明とは、「前記チューナ部は第１のチューナを有」する点では共通するといえるが、本願補正発明は、前記チューナ部は第１のチューナ「及び第２のチューナ」を有するのに対し、刊行物１発明では第１のチューナのみを有する点で両者は異なる。
　
　本願補正発明の制御部は、「前記第１のチューナで受信している番組映像の表示中に前記第１の操作信号を検出したとき、前記第１の操作信号に対応する番組の受信を前記第２のチューナで開始し、前記表示部に表示されている前記第１のチューナで受信している番組映像に関する音声情報を前記第１の音声出力部から音声出力すると共に、前記第１の操作信号に対応する前記第２のチューナで受信している番組の番組情報に関する音声情報を前記第２の音声出力部から音声で出力」するもの、すなわち、実施例に則していうと、第１のチューナである番組を視聴中に、チャンネルボタンの接触を検出すると、接触があったチャンネルボタンに対応する番組の受信が第２のチューナで開始されるとともに、接触があったチャンネルボタンに対応する該番組の番組情報がリモコンから音声出力されるものである。
　刊行物１発明における、本体装置および制御部は、『キーに触れただけの操作である場合には、受信した前記送信データに対応する、例えば、「チャンネルアップキーである」という情報と「アップした先のチャンネルではニュースを放送している」という内容の音声データを音声生成部で生成し、音声信号として音声出力部より出力する』制御を行うもの、すなわち、チューナである番組を視聴中に、チャンネルボタンの接触を検出すると、接触があったチャンネルボタンに対応する番組の番組情報が音声出力されるものである。なお、そのときの視聴中の番組の音声は出力されていると考えるのが自然である。
　両者を対比すると、接触があったチャンネルボタンに対応する番組の受信が第２のチューナで開始される点、及び、音声出力がリモコンからなされる点を除いて、第１のチューナである番組を視聴中に、チャンネルボタンの接触を検出すると、ある番組の視聴は続けるとともに、接触があったチャンネルボタンに対応する番組の番組情報が音声出力される点で両者は共通している。
　すなわち、本願補正発明と刊行物１発明とは、制御部が「前記第１のチューナで受信している番組映像の表示中に前記第１の操作信号を検出したとき、前記表示部に表示されている前記第１のチューナで受信している番組映像に関する音声情報を前記音声出力部から音声出力すると共に、前記第１の操作信号に対応する番組の番組情報に関する音声情報を前記音声出力部から音声で出力するように制御する」点で共通している。
　
　本願補正発明では、制御部は、「前記第１の音声出力部から出力する音声よりも前記第２の音声出力部から出力する音声の方を大きくするように制御」するのに対し、刊行物１発明では、そのような特定はなされていない点で相違している。
　
　刊行物１発明における、本体装置および制御部は、リモコンのキーに触れた状態から、キーを押した状態にすると、例えば、チャンネルアップを実行する制御を行うのであるから、本願補正発明と刊行物１発明は、制御部が、「前記第１の操作信号を検出した状態から前記第１のチューナで受信している番組映像の表示中に前記第２の操作信号を検出したとき、前記表示中の番組映像を前記第２の操作信号に対応する番組映像に切換えるように制御する」点で一致する。
　
　以上をまとめると、本願補正発明と刊行物１発明の一致点及び相違点は次のとおりである。
　
（一致点）
　チューナ部と、番組映像を表示する表示部と、音声を出力する音声出力部と、番組を選択する操作ボタン及びこの操作ボタンの操作により操作信号を発するリモコン側通信部を有するリモコンで構成される入力部と、前記リモコン側通信部から発する操作信号を受信して制御部に入力する本体側通信部と、これらを統括的に制御する前記制御部とを備え、
　前記リモコンは、前記操作ボタンに接触があったときに第１の操作信号を発生し、前記操作ボタンが押し込まれたときに第２の操作信号を発生するように構成され、
　前記本体側通信部と前記リモコン側通信部とは無線で信号を送受信可能に構成され、
　前記音声出力部は、本体側に備えられた音声出力部から構成され、
　前記チューナ部は第１のチューナを有し、
　前記制御部は、
　前記第１のチューナで受信している番組映像の表示中に前記第１の操作信号を検出したとき、前記表示部に表示されている前記第１のチューナで受信している番組映像に関する音声情報を前記音声出力部から音声出力すると共に、前記第１の操作信号に対応する番組の番組情報に関する音声情報を前記音声出力部から音声で出力するように制御し、
　前記第１の操作信号を検出した状態から前記第１のチューナで受信している番組映像の表示中に前記第２の操作信号を検出したとき、前記表示中の番組映像を前記第２の操作信号に対応する番組映像に切換えるように制御する
　ことを特徴とする放送受信装置。
　
（相違点１）
　音声出力部が、本願補正発明においては、「本体側に備えられた第１の音声出力部と、前記リモコンに内蔵された第２の音声出力部」とから構成され、前記本体側通信部と前記リモコン側通信部とは無線で信号を「相互に」送受信可能に構成され、制御部は、チューナで受信している番組映像に関する音声情報を「前記第１の音声出力部」から音声出力すると共に、前記第１の操作信号に対応する番組の番組情報に関する音声情報を「前記第２の音声出力部」から音声で出力するのに対し、刊行物１発明では、音声出力部はテレビの音声出力部のみであって、リモコン装置とテレビ本体との無線での信号の送受信も一方向のみである点。
　
（相違点２）
　本願補正発明では、制御部は、「前記第１の音声出力部から出力する音声よりも前記第２の音声出力部から出力する音声の方を大きくするように制御」するのに対し、刊行物１発明では、そのような特定はなされていない点。
　
（相違点３）
　本願補正発明では、チューナ部は、第１のチューナ「及び第２のチューナ」を有し、制御部は、「前記第１のチューナで受信している番組映像の表示中に前記第１の操作信号を検出したとき、前記第１の操作信号に対応する番組の受信を前記第２のチューナで開始」するのに対し、刊行物１発明は、第１のチューナのみを有する点。
　
（４）判断
　各相違点についてそれぞれ検討する。
　
（相違点１について）
　刊行物１発明は、刊行物１の実施の形態４に対応するものであり、それ以前の実施の形態１ないし３と異なり、リモコン装置側には信号の受信部や音声出力部を備えていない。その理由は、リモコン装置に受信部やスピーカ等を備える必要をなくしてコストや信頼性の点で効果を得るためである（【００２９】を参照）。
　上記実施の形態１ないし３のうち、例えば、刊行物１の実施の形態３（【図４】）には、音声出力部をリモコン装置に設け、操作したキーに対応する音声案内の音声データを被制御装置（テレビ本体）から受信してリモコン装置で音声出力する構成が記載されている。（なお、テレビで受信した番組の音声がテレビ自体から出力されることは明らかである。）
　刊行物１発明は、コストや信頼性の点での効果を得るために、実施の形態３のような音声出力部や信号を受信する構成を備えないようにしたものであって、その前提としては、実施の形態３のように、リモコン装置に音声出力部や信号を受信する構成を備えることが想定されていたと考えられる。
　したがって、刊行物１発明において、実施の形態３のように、音声出力部をリモコン装置にも設け、操作したキーに対応する音声案内の音声データをテレビ本体から受信してリモコン装置の音声出力部で音声出力する構成とすること、すなわち、音声出力部は、「本体側に備えられた第１の音声出力部と、前記リモコンに内蔵された第２の音声出力部」とから構成され、前記本体側通信部と前記リモコン側通信部とは無線で信号を「相互に」送受信可能に構成され、制御部は、チューナで受信している番組映像に関する音声情報を「前記第１の音声出力部」から音声出力すると共に、前記第１の操作信号に対応する番組の番組情報に関する音声情報を「前記第２の音声出力部」から音声で出力する構成とすることは当業者が容易に想到し得たことである。
　
（相違点２について）
　刊行物１発明のテレビは、例えば、図７の（１）に例示されるように、放送を視聴中にチャンネルアップキーに触れる操作を行うと、そのキーの機能（「チャンネルアップします」）やチャンネルアップした後の放送内容（「ニュース放送中です」）の音声出力がなされるものであり、これらの音声出力は、ユーザへの案内のために出力するものであるから、ユーザがこれらの音声を聞き取りやすいようにすることは、このようなテレビを設計するにあたって当業者が当然考慮すべきことである。
　また、放送受信機からの音声が出力されている状態において、他の音声による音声案内がなされるとその音声案内が聞き取りにくいという状況に対処するため、放送受信機からの音声の音量を一時的に下げる技術は、上記刊行物２に記載されているように周知の技術である。
　したがって、刊行物１発明において、テレビを視聴中に、リモコン装置のキーの操作に対応する音声信号の出力がなされるときに、該音声信号を聞き取りやすくするために、上記周知の技術を適用し、放送受信機からの音声の音量を一時的に下げること、すなわち、制御部が、「前記第１の音声出力部から出力する音声よりも前記第２の音声出力部から出力する音声の方を大きくするように制御」することは当業者が容易に想到し得ることである。
　
（相違点３について）
　刊行物３には、リモコンのチャンネルキーによるテレビの選局動作を早くするために、第１のチューナを使用してあるチャンネルを視聴しているときに、使用者が別のチャンネルのキーに触れている状態を検出すると、第２のチューナで前もって該別のチャンネルを選局しておく、テレビのチャンネルを選局する方法が記載されている。
　リモコンのチャンネルキーによるテレビの選局動作を行う刊行物１発明においても、その選局動作を早くするために、刊行物３に記載された選局の方法を適用し、チューナ部が、第１のチューナ及び第２のチューナを有し、制御部が、前記第１のチューナで受信している番組映像の表示中に前記第１の操作信号を検出したとき、前記第１の操作信号に対応する番組の受信を前記第２のチューナで開始する構成とすることは当業者が容易に想到し得ることである。
　
　したがって、本願補正発明は、刊行物１発明、刊行物２及び刊行物３に記載された技術に基づいて、当業者が容易に発明をすることができたものである。
　
（５）まとめ
　以上により、本願補正発明は、刊行物１に記載された発明、刊行物２及び刊行物３に記載された技術に基づいて、当業者が容易に発明をすることができたものであるから、特許法第２９条第２項の規定により特許出願の際独立して特許を受けることができないものである。
　したがって、本件補正は、平成１８年改正前特許法第１７条の２第５項において準用する同法第１２６条第５項の規定に違反してなされたものであるから、同法第１５９条第１項において読み替えて準用する同法第５３条第１項の規定により却下すべきものである。
　
第３．本願発明について
１．本願発明
　平成２３年１１月９日付けの手続補正は上記のとおり却下されたので、本願の請求項に係る発明は、平成２３年４月２１日付けの手続補正により補正された特許請求の範囲の請求項１ないし３に記載された事項により特定されるものであるところ、その請求項１に係る発明（以下、「本願発明」という）は、次のとおりのものである。
　
「【請求項１】チューナ部と、番組映像を表示する表示部と、音声を出力する音声出力部と、番組を選択する操作ボタン及びこの操作ボタンの操作により操作信号を発するリモコン側通信部を有するリモコンで構成される入力部と、前記リモコン側通信部から発する操作信号を受信して制御部に入力する本体側通信部と、これらを統括的に制御する前記制御部とを備え、
　前記リモコンは、前記操作ボタンに接触があったときに第１の操作信号を発生し、前記操作ボタンが押し込まれたときに第２の操作信号を発生するように構成され、
　前記本体側通信部と前記リモコン側通信部とは無線で信号を相互に送受信可能に構成され、
　前記音声出力部は、本体側に備えられた第１の音声出力部と、前記リモコンに内蔵された第２の音声出力部とから構成され、
　前記制御部は、
　番組映像の表示中に前記第１の操作信号を検出したとき、前記表示部に表示されている番組映像に関する音声情報を前記第１の音声出力部から音声出力すると共に、前記第１の操作信号に対応する番組に関する情報を前記第２の音声出力部から音声で出力し、且つ前記第１の音声出力部から出力する音声よりも前記第２の音声出力部から出力する音声の方を大きくするように制御し、
　前記第１の操作信号を検出した状態から前記第２の操作信号を検出したとき、前記表示中の番組映像を前記第２の操作信号に対応する番組映像に切換えるように制御する　ことを特徴とする放送受信装置。」
  
２．刊行物の記載事項
　原査定の拒絶の理由で引用された刊行物、及び、その記載事項は、前記第２．２．（２）に記載したとおりである。
　
３．対比・判断
　本願発明は、前記第２．２．で検討した本願補正発明の限定事項を省いたものである。
　そうすると、本願発明の特定事項を全て含み、さらに他の特定事項を付加したものに相当する本願補正発明が、前記第２．２．（５）に記載したとおり、刊行物１発明、刊行物２及び刊行物３に記載された技術に基づいて、当業者が容易に発明をすることができたものであるから、本願発明も、同様の理由により、刊行物１発明、刊行物２及び刊行物３に記載された技術に基づいて当業者が容易に発明をすることができたものである。
　
第４．むすび
　以上のとおり、本願の請求項１に係る発明は、特許法第２９条第２項の規定により特許を受けることができない。
　したがって、本願は、その余の請求項２、３について論及するまでもなく、拒絶すべきものである。
　よって、結論のとおり審決する。